(57)【要約】【課題】缶容器の液体内容物を注ぐ際に液体内容物がこぼれず、手を汚さずに確実に注ぐことができる缶容器用注ぎ具を提供する。【解決手段】缶容器Ｋの吐出口形成用円形包囲突出壁Ｗの外周端縁Ｇに密着しつつ外嵌するとともにシール材を省略したプラスチック製外嵌キャップ部材１と、外嵌キャップ部材１と連結される蛇腹付のプラスチック製注ぎ管２を、有する。外嵌キャップ部材１が、缶容器Ｋ内の流体を注ぎ管２内に流通可能とするための孔部４を有する。【選択図】図１
0003132849.tif 000002
【実用新案登録請求の範囲】
【請求項１】
缶容器（Ｋ）の吐出口形成用円形包囲突出壁（Ｗ）の外周端縁（Ｇ）に密着しつつ外嵌するとともにシール材を省略したプラスチック製外嵌キャップ部材（１）と、該外嵌キャップ部材（１）と連結される蛇腹付のプラスチック製注ぎ管（２）を、有し、上記外嵌キャップ部材（１）が、缶容器（Ｋ）内の流体を上記注ぎ管（２）内に流通可能とするための孔部（４）を有することを特徴とする缶容器用注ぎ具。
【請求項２】
缶容器（Ｋ）の吐出口形成用円形包囲突出壁（Ｗ）の外周端縁（Ｇ）に密着しつつ外嵌するとともにシール材を省略したプラスチック製外嵌キャップ部材（１）と、該外嵌キャップ部材（１）と連結される蛇腹（17）付のプラスチック製注ぎ管（２）を、有し、上記外嵌キャップ部材（１）が、缶容器（Ｋ）内の流体を上記注ぎ管（２）内に流通可能とするための孔部（４）を有する缶容器用注ぎ具であって、
上記外嵌キャップ部材（１）が流路（Ｒ）を形成する筒部（３）を有し、該筒部（３）に上記注ぎ管（２）を弾性変形により密嵌状に外嵌することにより上記外嵌キャップ部材（１）と上記注ぎ管（２）を連結可能に構成したことを特徴とする缶容器用注ぎ具。
【請求項３】
上記注ぎ管（２）の先端部（12）に、先端（13）へしだいに細くなる先細注ぎ部（14）を形成した請求項１または２記載の缶容器用注ぎ具。
【請求項４】
上記外嵌キャップ部材（１）が、缶容器（Ｋ）の上記円形包囲突出壁（Ｗ）の上端面（Ｅ）と接するシール小突条（15）を有する請求項１，２又は３記載の缶容器用注ぎ具。
【請求項５】
上記外嵌キャップ部材（１）が、缶容器（Ｋ）の上記円形包囲突出壁（Ｗ）の上端開口内周端縁（Ｎ）と接するシール用短円筒壁（16）を有する請求項１，２，３又は４記載の缶容器用注ぎ具。
【考案の詳細な説明】
【技術分野】
【０００１】
本考案は、缶容器用注ぎ具に関する。
【背景技術】
【０００２】
従来、オイル、塗料、洗剤、冷却液等の液体を内容物とするペール缶や一斗缶等の缶容器から上記液体を注ぐ（吐出させる）場合、（注ぎ具を取付けない状態で）直接に液体を注ぐと、注ぎにくく、液体がこぼれたり、こぼれた液体によって手を汚すことが多い。そこで、缶容器用注ぎ具として、例えば、缶容器の吐出口形成用円形包囲突出壁にコックを取付けている（例えば、特許文献１参照）。
【０００３】
しかし、コックは、金属部材とシール材（Ｏリング、ガスケット等）を有するので、構造が複雑になりがちであり、製造に手間がかかるという欠点があった。
【特許文献１】特開平１０−２９６９９号公報
【考案の開示】
【考案が解決しようとする課題】
【０００４】
解決しようとする課題は、缶容器の液体内容物を注ぐ際に液体内容物がこぼれて、手が汚れる点である。また、製造に手間がかかる点である。
【課題を解決するための手段】
【０００５】
そこで、本考案に係る缶容器用注ぎ具は、缶容器の吐出口形成用円形包囲突出壁の外周端縁に密着しつつ外嵌するとともにシール材を省略したプラスチック製外嵌キャップ部材と、該外嵌キャップ部材と連結される蛇腹付のプラスチック製注ぎ管を、有し、上記外嵌キャップ部材が、缶容器内の流体を上記注ぎ管内に流通可能とするための孔部を有するものである。
【０００６】
また、缶容器の吐出口形成用円形包囲突出壁の外周端縁に密着しつつ外嵌するとともにシール材を省略したプラスチック製外嵌キャップ部材と、該外嵌キャップ部材と連結される蛇腹付のプラスチック製注ぎ管を、有し、上記外嵌キャップ部材が、缶容器内の流体を上記注ぎ管内に流通可能とするための孔部を有する缶容器用注ぎ具であって、上記外嵌キャップ部材が流路を形成する筒部を有し、該筒部に上記注ぎ管を弾性変形により密嵌状に外嵌することにより上記外嵌キャップ部材と上記注ぎ管を連結可能に構成したものである。
【０００７】
また、上記注ぎ管の先端部に、先端へしだいに細くなる先細注ぎ部を形成したものである。
また、上記外嵌キャップ部材が、缶容器の上記円形包囲突出壁の上端面と接するシール小突条を有するものである。
また、上記外嵌キャップ部材が、缶容器の上記円形包囲突出壁の上端開口内周端縁と接するシール用短円筒壁を有するものである。
【考案の効果】
【０００８】
本考案の缶容器用注ぎ具によれば、缶容器の液体内容物を注ぐ際に液体内容物がこぼれず、手を汚さずに確実に注ぐことができる。また、シール材を省略した簡易な構成なので、容易に製造することができる。
【考案を実施するための最良の形態】
【０００９】
図１は、本考案の第１の実施の形態を示す。この缶容器用注ぎ具は、オイル、塗料、洗剤、冷却液等の液体を内容物とするペール缶や一斗缶等の缶容器Ｋから上記液体を注ぐ（吐出させる）ために、缶容器Ｋの吐出口形成用円形包囲突出壁Ｗに取付けられて用いられる。缶容器用注ぎ具は、外嵌キャップ部材１と注ぎ管２から成る。そして、外嵌キャップ部材１と注ぎ管２が（後述のように）連結可能に構成されている。
【００１０】
具体的には、図１〜図３に示すように、缶容器Ｋの吐出口形成用円形包囲突出壁Ｗの外周端縁Ｇに密着しつつ外嵌するとともにシール材を省略した（具備しない）プラスチック製外嵌キャップ部材１を有する。外嵌キャップ部材１が流路Ｒを形成する筒部３を有する。言い換えると、外嵌キャップ部材１が、缶容器Ｋ内の流体を注ぎ管２内に流通可能とするための孔部４（筒部３の内周面５）を有する。筒部３の外周面６に嵌合用突条部７を有する。８は外嵌キャップ部材１を缶容器Ｋの吐出口形成用円形包囲突出壁Ｗから容易に取外すための取外し用突片を示す。
【００１１】
図１・図４・図５に示すように、外嵌キャップ部材１と連結される蛇腹17付のプラスチック製注ぎ管２を、有する。蛇腹17は、約90°までの複数段階の所定角度を保持可能に構成されている。注ぎ管２の基端部９の内周面10に、外嵌キャップ部材１の嵌合用突条部７と密封状に嵌合する嵌合用凹溝部11を有する。筒部３に注ぎ管２を弾性変形により密嵌状に外嵌することにより外嵌キャップ部材１と注ぎ管２が連結可能に構成されている。具体的には、嵌合用突条部７と嵌合用凹溝部11を密封状に嵌合することにより外嵌キャップ部材１と注ぎ管２が連結可能に構成されている。注ぎ管２の先端部12に、先端13へしだいに細くなる先細注ぎ部14が形成されている。
【００１２】
図６は、第２の実施の形態を示す。外嵌キャップ部材１が、缶容器Ｋの円形包囲突出壁Ｗの上端面Ｅと接するシール小突条15を有するとともに、缶容器Ｋの円形包囲突出壁Ｗの上端開口内周端縁Ｎと接するシール用短円筒壁16を有する。その他の構成は、第１の実施の形態と同様である。
【００１３】
なお、本考案は、設計変更可能であって、例えば、第２の実施の形態のシール小突条15又はシール用短円筒壁16を省略したものとするも良い。あるいは、第２の実施の形態のシール用短円筒壁16が、缶容器Ｋの円形包囲突出壁Ｗの上端開口内周端縁Ｎと接する（外方突出状）小突条を有するも良い。また、外嵌キャップ部材１に（嵌合用突条部７の代わりに）雄ねじ部を形成するとともに、注ぎ管２に（嵌合用凹溝11の代わりに）雌ねじ部を形成することにより、外嵌キャップ部材１と注ぎ管２を連結可能に構成するも良い。
【００１４】
以上のように、本考案は、缶容器Ｋの吐出口形成用円形包囲突出壁Ｗの外周端縁Ｇに密着しつつ外嵌するとともにシール材を省略したプラスチック製外嵌キャップ部材１と、外嵌キャップ部材１と連結される蛇腹17付のプラスチック製注ぎ管２を、有し、外嵌キャップ部材１が、缶容器Ｋ内の流体を注ぎ管２内に流通可能とするための孔部４を有するので、缶容器Ｋの液体内容物を注ぐ際に液体内容物がこぼれず、手を汚さずに確実に注ぐことができる。また、シール材を省略した簡易な構成なので、容易に製造することができる。
【００１５】
また、缶容器Ｋの吐出口形成用円形包囲突出壁Ｗの外周端縁Ｇに密着しつつ外嵌するとともにシール材を省略したプラスチック製外嵌キャップ部材１と、外嵌キャップ部材１と連結される蛇腹17付のプラスチック製注ぎ管２を、有し、外嵌キャップ部材１が、缶容器Ｋ内の流体を注ぎ管２内に流通可能とするための孔部４を有する缶容器用注ぎ具であって、外嵌キャップ部材１が流路Ｒを形成する筒部３を有し、筒部３に注ぎ管２を弾性変形により密嵌状に外嵌することにより外嵌キャップ部材１と注ぎ管２を連結可能に構成したので、缶容器Ｋの液体内容物を注ぐ際に液体内容物がこぼれず、手を汚さずに確実に注ぐことができる。また、シール材を省略した簡易な構成なので、容易に製造することができる。さらに、容易に外嵌キャップ部材１と注ぎ管２を連結することができる。
【００１６】
また、注ぎ管２の先端部12に、先端13へしだいに細くなる先細注ぎ部14を形成したので、液体を所望の注ぎ先（注ぎ場所）に確実に注ぐことができる。
また、外嵌キャップ部材１が、缶容器Ｋの円形包囲突出壁Ｗの上端面Ｅと接するシール小突条15を有するので、より確実に液体漏れを防止することができる。
【００１７】
また、外嵌キャップ部材１が、缶容器Ｋの円形包囲突出壁Ｗの上端開口内周端縁Ｎと接するシール用短円筒壁16を有するので、より確実に液体漏れを防止することができる。
【図面の簡単な説明】
【００１８】
【図１】本考案の第１の実施の形態を示す断面正面図である。
【図２】外嵌キャップ部材を示す正面図である。
【図３】底面図である。
【図４】注ぎ管を示す正面図である。
【図５】平面図である。
【図６】第２の実施の形態の注ぎ管を示す断面正面図である。
【符号の説明】
【００１９】
１  外嵌キャップ部材
２  注ぎ管
３  筒部
４  孔部
６  外周面
９  基端部
10  内周面
12  先端部
13  先端
14  先細注ぎ部
15  シール小突条
16  シール用短円筒壁
17  蛇腹
Ｅ  上端面
Ｇ  外周端縁
Ｋ  缶容器
Ｎ  上端開口内周端縁
Ｒ  流路
Ｗ  円形包囲突出壁
【図１】
0003132849.tif 000003
【図２】
0003132849.tif 000004
【図３】
0003132849.tif 000005
【図４】
0003132849.tif 000006
【図５】
0003132849.tif 000007
【図６】
0003132849.tif 000008